【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
ビデオデータとオーディオデータとを多重化して記録媒体に記録する記録装置において、
ビデオデータおよびオーディオデータが入力されるデータ入力部と、
上記ビデオデータおよびオーディオデータの記録開始および記録停止の指示が入力される記録指示入力部と、
上記ビデオデータおよびオーディオデータを多重化し、多重化されたストリームをストリームファイルとして記録媒体に記録する記録部と、
上記記録媒体に記録される上記ストリームファイルに対し、少なくとも、該ストリームファイルの再生時刻情報とアドレス情報とを対応付けた属性ファイルと、
該ストリームファイルに対して再生開始点と再生終了点とを設定することにより再生区間を指定する１以上の再生区間データが格納され、上記ストリームファイルに対する再生時刻情報を示すマーク情報が格納可能な再生リストファイルと
を生成する管理情報生成部と、
上記記録部および上記管理情報生成部とを制御する制御部と
を有し、
上記制御部は、
上記記録指示入力部の指示に基づく記録開始から記録停止までの区間に対応する上記ビデオデータおよびオーディオデータを１の上記ストリームファイルとして上記記録媒体に記録するように上記記録部を制御すると共に、該１のストリームファイルの全体を再生区間として指定する上記再生区間データを生成し、該再生区間データが指定する再生開始時刻に対応する時刻情報を示す上記マーク情報を上記再生リストファイルに格納するように上記管理情報生成部を制御する
ことを特徴とする記録装置。
【請求項２】
請求項１に記載の記録装置において、
上記記録指示入力部は、ユーザの操作を受け付ける
ことを特徴とする記録装置。
【請求項３】
請求項２に記載の記録装置において、
上記制御部は、
上記ストリームファイルを上記記録媒体に記録した直後に対応する上記属性ファイルを記録する際には、該属性ファイルの記録が完了するまで上記記録指示入力部に対する上記記録開始の上記操作を受け付けないように制御する
ことを特徴とする記録装置。
【請求項４】
請求項１に記載の記録装置において、
上記制御部は、
上記記録指示入力部による記録停止の指示に基づき、記録された上記ストリームファイルを再生区間として指定する上記再生区間データ内に、該ストリームファイルと該ストリームファイルに対して後続するストリームファイルとがフレームタイミングで連続的に再生されることを示す情報を設定して上記再生区間データを上記記録媒体に記録するように制御する
ことを特徴とする記録装置。
【請求項５】
請求項１に記載の記録装置において、
上記制御部は、
上記ストリームファイル内で、上記ビデオデータの先端の再生時刻と上記オーディオデータの先端の再生時刻とが一致し、上記ビデオデータの終端の再生時刻よりも上記オーディオデータの終端の再生時刻が後になるように上記記録部を制御する
ことを特徴とする記録装置。
【請求項６】
請求項１に記載の記録装置において、
上記制御部は、
新たな上記ストリームファイルが上記記録媒体に記録された際には、該新たなストリームファイルに対応する上記再生区間データを上記再生リストファイルに追加するように上記管理情報生成部を制御する
ことを特徴とする記録装置。
【請求項７】
請求項６に記載の記録装置において、
上記制御部は、
１の上記記録媒体に対して唯一つの上記再生リストファイルを生成するように制御する
ことを特徴とする記録装置。
【請求項８】
ビデオデータとオーディオデータとを多重化して記録媒体に記録する記録方法において、
データ入力部に入力されたビデオデータおよびオーディオデータの記録開始および記録停止の指示が入力される記録指示入力のステップと、
上記ビデオデータおよびオーディオデータを多重化し、多重化されたストリームをストリームファイルとして記録媒体に記録する記録のステップと、
上記記録媒体に記録される上記ストリームファイルに対し、少なくとも、該ストリームファイルの再生時刻情報とアドレス情報とを対応付けた属性ファイルと、
該ストリームファイルに対して再生開始点と再生終了点とを設定することにより再生区間を指定する１以上の再生区間データが格納され、上記ストリームファイルに対する再生時刻情報を示すマーク情報が格納可能な再生リストファイルと
を生成する管理情報生成のステップと、
上記記録のステップおよび上記管理情報生成のステップとを制御する制御のステップと
を有し、
上記制御のステップは、
上記記録指示入力のステップによる指示に基づく記録開始から記録停止までの区間に対応する上記ビデオデータおよびオーディオデータを１の上記ストリームファイルとして上記記録媒体に記録するように上記記録のステップを制御すると共に、該１のストリームファイルの全体を再生区間として指定する上記再生区間データを生成し、該再生区間データが指定する再生開始時刻に対応する時刻情報を示す上記マーク情報を上記再生リストファイルに格納するように上記管理情報生成のステップを制御する
ことを特徴とする記録方法。
【請求項９】
ビデオデータとオーディオデータとを多重化して記録媒体に記録する記録方法をコンピュータ装置に実行させる記録プログラムにおいて、
上記記録方法は、
データ入力部に入力されたビデオデータおよびオーディオデータの記録開始および記録停止の指示が入力される記録指示入力のステップと、
上記ビデオデータおよびオーディオデータを多重化し、多重化されたストリームをストリームファイルとして記録媒体に記録する記録のステップと、
上記記録媒体に記録される上記ストリームファイルに対し、少なくとも、該ストリームファイルの再生時刻情報とアドレス情報とを対応付けた属性ファイルと、
該ストリームファイルに対して再生開始点と再生終了点とを設定することにより再生区間を指定する１以上の再生区間データが格納され、上記ストリームファイルに対する再生時刻情報を示すマーク情報が格納可能な再生リストファイルと
を生成する管理情報生成のステップと、
上記記録のステップおよび上記管理情報生成のステップとを制御する制御のステップと
を有し、
上記制御のステップは、
上記記録指示入力のステップによる指示に基づく記録開始から記録停止までの区間に対応する上記ビデオデータおよびオーディオデータを１の上記ストリームファイルとして上記記録媒体に記録するように上記記録のステップを制御すると共に、該１のストリームファイルの全体を再生区間として指定する上記再生区間データを生成し、該再生区間データが指定する再生開始時刻に対応する時刻情報を示す上記マーク情報を上記再生リストファイルに格納するように上記管理情報生成のステップを制御する
ことを特徴とする記録プログラム。
【請求項１０】
撮像部で被写体を撮像して得られたビデオデータと、収音部で音声を収音して得られたオーディオデータとを多重化して記録媒体に記録する撮像装置において、
被写体を撮像してビデオデータを出力する撮像部と、
音声を収音してオーディオデータを出力する収音部と、
上記ビデオデータおよび上記オーディオデータを多重化し、多重化されたストリームをストリームファイルとして記録媒体に記録する記録部と、
上記ビデオデータおよび上記オーディオデータの上記記録媒体への記録開始および記録停止を指示するユーザ操作を受け付ける操作部と、
上記記録媒体に記録される上記ストリームファイルに対し、少なくとも、該ストリームファイルの再生時刻情報とアドレス情報とを対応付けた属性ファイルと、
該ストリームファイルに対して再生開始点と再生終了点とを設定することにより再生区間を指定する１以上の再生区間データが格納され、上記ストリームファイルに対する再生時刻情報を示すマーク情報が格納可能な再生リストファイルと
を生成する管理情報生成部と、
上記操作部に対するユーザ操作に応じて上記記録部の動作を制御すると共に、上記管理情報生成部を制御する制御部と
を有し、
上記制御部は、
上記操作部に対する操作に応じて、上記記録開始から上記記録停止までの区間に対応する上記ビデオデータおよび上記オーディオデータを１の上記ストリームファイルとして上記記録媒体に記録するように上記記録部を制御すると共に、該１のストリームファイルの全体を再生区間として指定する上記再生区間データを生成し、該再生区間データが指定する再生開始時刻に対応する時刻情報を示す上記マーク情報を上記再生リストファイルに格納するように上記管理情報生成部を制御する
ことを特徴とする撮像装置。
【請求項１１】
撮像部で被写体を撮像して得られたビデオデータと、収音部で音声を収音して得られたオーディオデータとを多重化して記録媒体に記録する撮像装置の撮像方法において、
撮像部で被写体を撮像して得られたビデオデータと、収音部で音声を収音して得られたオーディオデータとを多重化し、多重化されたストリームをストリームファイルとして記録媒体に記録する記録のステップと、
操作部に対する上記ビデオデータおよび上記オーディオデータの上記記録媒体への記録開始および記録停止を指示するユーザ操作を受け付けるステップと、
上記記録媒体に記録される上記ストリームファイルに対し、少なくとも、該ストリームファイルの再生時刻情報とアドレス情報とを対応付けた属性ファイルと、
該ストリームファイルに対して再生開始点と再生終了点とを設定することにより再生区間を指定する１以上の再生区間データが格納され、上記ストリームファイルに対する再生時刻情報を示すマーク情報が格納可能な再生リストファイルと
を生成する管理情報生成のステップと、
上記操作部に対するユーザ操作に応じて上記記録のステップの動作を制御すると共に、上記管理情報生成のステップを制御する制御のステップと
を有し、
上記制御のステップは、
上記操作部に対する操作に応じて、上記記録開始から上記記録停止までの区間に対応する上記ビデオデータおよび上記オーディオデータを１の上記ストリームファイルとして上記記録媒体に記録するように上記記録のステップを制御すると共に、該１のストリームファイルの全体を再生区間として指定する上記再生区間データを生成し、該再生区間データが指定する再生開始時刻に対応する時刻情報を示す上記マーク情報を上記再生リストファイルに格納するように上記管理情報生成のステップを制御する
ことを特徴とする撮像方法。
【手続補正２】
【補正対象書類名】明細書
【補正対象項目名】発明の名称
【補正方法】変更
【補正の内容】
【発明の名称】記録装置、記録方法および記録プログラム、ならびに、撮像装置および撮像方法
【手続補正３】
【補正対象書類名】明細書
【補正対象項目名】０００１
【補正方法】変更
【補正の内容】
【０００１】
この発明は、ビデオデータとオーディオデータとを多重化したストリームデータを記録媒体に記録するのに適した記録装置、記録方法および記録プログラム、ならびに、撮像装置および撮像方法に関する。
【手続補正４】
【補正対象書類名】明細書
【補正対象項目名】０００５
【補正方法】変更
【補正の内容】
【０００５】
したがって、この発明の目的は、ビデオデータとオーディオデータとが多重化されたＡＶストリームを、タイトル管理や編集が容易なように記録媒体に記録可能な記録装置、記録方法および記録プログラム、ならびに、撮像装置および撮像方法を提供することにある。
【手続補正５】
【補正対象書類名】明細書
【補正対象項目名】００１１
【補正方法】削除
【補正の内容】